(57)【要約】【課題】撮影時の照明環境によって生じるカメラ画のホワイトバランスと表示画のホワイトバランスの差を軽減し、使用者が撮影している映像のホワイトバランス状態を正確に把握することのできる撮像装置を提供する。【解決手段】本発明の撮像装置は、使用者が映像を確認するための表示手段２０９、２１０と、映像信号に対して信号処理をするカメラ画信号処理手段２１２と、表示手段の出力信号に対して信号処理をする表示画信号処理手段２０８とを備える。そして、撮影時にカメラ画のホワイトバランス情報を用いて表示画のホワイトバランス補正を行うよう表示画信号処理手段を制御する制御手段２１１を備える。【選択図】図１
2008211333.tif 000002
【特許請求の範囲】
【請求項１】
使用者が映像を確認するための表示手段と、
映像信号に対して信号処理をするカメラ画信号処理手段と、
前記表示手段の出力信号に対して信号処理をする表示画信号処理手段と、
撮影時にカメラ画のホワイトバランス情報を用いて表示画のホワイトバランス補正を行うよう前記表示画信号処理手段を制御する制御手段と、
を備えることを特徴とする撮像装置。
【請求項２】
前記表示画のホワイトバランス補正は、カメラ画のホワイトバランスの逆補正であることを特徴とする請求項１記載の撮像装置。
【請求項３】
前記表示画のホワイトバランス補正に際し、予め決められた複数の色温度設定の中から特定のものを選択することを特徴とする請求項１記載の撮像装置。
【請求項４】
前記表示手段として、液晶パネル及びビューファインダを備え、
前記制御手段は、撮影時にカメラ画のホワイトバランス情報を用いて前記液晶パネルに表示する映像のホワイトバランス補正を行い、ビューファインダに表示する映像のホワイトバランス補正は、カメラ画のホワイトバランス情報とは無関係に、予め決められた設定で行うよう制御することを特徴とする請求項１乃至請求項３のいずれかに記載の撮像装置。
【請求項５】
前記カメラ画のホワイトバランス情報は、ストロボ撮影の際のストロボ発光前のプレビュー画におけるホワイトバランス情報であることを特徴とする請求項１乃至請求項４のいずれかに記載の撮像装置。
【請求項６】
撮影時に前記カメラ画のホワイトバランス情報を用いて前記表示画のホワイトバランス補正を行うかどうかを使用者が切替え選択するための表示画ホワイトバランス切替え手段を備えることを特徴とする請求項１乃至請求項５のいずれかに記載の撮像装置。
【請求項７】
前記制御手段は、前記表示画のホワイトバランス補正に際し、撮影時においては、前記カメラ画のホワイトバランス情報を用いて表示する映像のホワイトバランス補正を行い、再生時においては、前記カメラ画のホワイトバランス情報を用いずに表示する映像のホワイトバランス補正を行うよう制御することを特徴とする請求項１乃至請求項６のいずれかに記載の撮像装置。
【請求項８】
再生された映像信号を表示するための表示手段と、
表示する映像信号に対して信号処理をする表示画信号処理手段と、
周囲の環境を検出するための環境検出手段と、
映像再生時に、前記環境検出手段によって検出された使用者の視環境に応じて表示する映像信号のホワイトバランス補正を行うよう前記表示画信号処理手段を制御する制御手段と、
を備えることを特徴とする映像再生装置。
【請求項９】
前記環境検出手段は色温度センサであることを特徴とする請求項８記載の映像再生装置。
【請求項１０】
使用者が映像を確認するための表示ステップと、
映像信号に対して信号処理をするカメラ画信号処理ステップと、
前記表示ステップの出力信号に対して信号処理をする表示画信号処理ステップと、
撮影時にカメラ画のホワイトバランス情報を用いて表示画のホワイトバランス補正を行うホワイトバランス補正ステップと、
を備えることを特徴とする撮像装置の制御方法。
【請求項１１】
再生された映像信号を表示するための表示ステップと、
表示する映像信号に対して信号処理をする表示画信号処理ステップと、
周囲の環境を検出するための環境検出ステップと、
映像再生時に、前記環境検出ステップによって検出された使用者の視環境に応じて表示する映像信号のホワイトバランス補正を行うホワイトバランス補正ステップと、
を備えることを特徴とする映像再生装置の制御方法。
【発明の詳細な説明】
【技術分野】
【０００１】
本発明は、撮像装置及びその制御方法、並びに映像再生装置及びその制御方法に関し、特に、ホワイトバランス制御に特徴のある撮像装置及びその制御方法、並びに映像再生装置及びその制御方法に関する。
【背景技術】
【０００２】
従来、撮像装置のホワイトバランス補正制御方式として、オートホワイトバランス、ホワイトバランスセット、ホワイトバランスプリセットなどがある。
【０００３】
オートホワイトバランスは、被写体の画像データ或いは色温度センサの情報を元に、適正なホワイトバランスになるように自動制御するものである。ホワイトバランスセットは、予め、撮影環境下で基準となる白い被写体を撮影しながら操作することで、基準の白が適正な白になるようにホワイトバランスを補正するものである。
【０００４】
ホワイトバランスプリセットは、プリセット屋内、プリセット屋外のように、予め想定されるいくつかの環境下において、ホワイトバランスが適正になるようなホワイトバランス補正値を用意しておく。そして、使用者がいずれかのホワイトバランス補正値を選択することが可能になっているものである。
【０００５】
撮像系を通した映像信号は、以上のようなホワイトバランス補正を施された後に、磁気テープやＤＶＤディスクなどの記録メディアに記録される。一方、撮像装置と一体化される（組み込まれる）映像再生装置では、撮影時に使用者が撮影映像を確認できるように、液晶パネルやビューファインダなどの表示手段に記録映像を表示する。
【０００６】
しかしながら、この従来の撮像装置においては、液晶パネルやビューファインダなどの表示手段に表示される映像のホワイトバランス補正は、予め設定された補正値によって行われていた。即ち、撮影時のカメラ画に対するホワイトバランス補正や周囲の照明／環境光とは無関係である。
【０００７】
そのため、人間の視覚は、撮影環境に順応しているので、カメラ画でホワイトバランス補正された画をそのまま液晶パネルに表示すると、ホワイトバランスがずれて撮影されているように錯覚してしまう。
【０００８】
例えば、ハロゲン照明下で撮影している際、ホワイトバランスが取れた画をそのまま液晶パネルに表示し、ハロゲン照明下で観賞すると、ハロゲンに順応している使用者の眼には、実際よりも青く見えてしまい、ホワイトバランスがずれているように感じてしまう。
【０００９】
このような背景の下に、記録画像を観察する時の観察光源に応じた複数の色補正モードから、１つの色補正モードを選択し、画像を色補正処理してから画像記録する電子カメラが提案されている（特許文献１参照）。
【００１０】
また、撮影時の光源下で得られた色調を、青空光源下で撮影した時の色調に変換する電子カメラが提案されている（特許文献２参照）。更に、ホワイトバランスプレビューモードにおいて、特性の異なる調整値でホワイトバランス調整を行い、色合いの異なる複数の見本画像をビューファインダにマトリクス表示するデジタルカメラが提案されている（特許文献３参照）。
【特許文献１】特開２００１−１７７８４４号公報
【特許文献２】特開平１０−４５５８号公報
【特許文献３】特開２００６−７４７１０号公報
【発明の開示】
【発明が解決しようとする課題】
【００１１】
しかし、特許文献１記載の技術は、記録画像を補正するものであり、撮影時における人の眼の色順応を考慮して、表示画像を視覚的に等しくなるように補正するものではない。
【００１２】
また、特許文献２記載の技術は、ある限定された光源下での色再現を近づけるものであり、人の眼の色順応を考慮した補正を行い、実際の色調に近い色再現を実現するものではない。
【００１３】
更に、特許文献３記載の技術は、使用者に適正と思われるホワイトバランス補正を選択させるものであり、自動的にホワイトバランス補正を行うものではない。
【００１４】
本発明の目的は、撮影時の照明環境によって生じるカメラ画のホワイトバランスと表示画のホワイトバランスの差を軽減し、使用者が撮影している映像のホワイトバランス状態を正確に把握することのできる撮像装置を提供することにある。
【課題を解決するための手段】
【００１５】
上記目的を達成するために、請求項１記載の撮像装置は、使用者が映像を確認するための表示手段と、映像信号に対して信号処理をするカメラ画信号処理手段と、前記表示手段の出力信号に対して信号処理をする表示画信号処理手段と、撮影時にカメラ画のホワイトバランス情報を用いて表示画のホワイトバランス補正を行うよう前記表示画信号処理手段を制御する制御手段とを備えることを特徴とする。
【００１６】
請求項８記載の映像再生装置は、再生された映像信号を表示するための表示手段と、表示する映像信号に対して信号処理をする表示画信号処理手段と、周囲の環境を検出するための環境検出手段と、映像再生時に、前記環境検出手段によって検出された使用者の視環境に応じて表示する映像信号のホワイトバランス補正を行うよう前記表示画信号処理手段を制御する制御手段とを備えることを特徴とする。
【００１７】
請求項１０記載の撮像装置の制御方法は、使用者が映像を確認するための表示ステップと、映像信号に対して信号処理をするカメラ画信号処理ステップと、前記表示ステップの出力信号に対して信号処理をする表示画信号処理ステップと、撮影時にカメラ画のホワイトバランス情報を用いて表示画のホワイトバランス補正を行うホワイトバランス補正ステップとを備えることを特徴とする。
【００１８】
請求項１１記載の映像再生装置の制御方法は、再生された映像信号を表示するための表示ステップと、表示する映像信号に対して信号処理をする表示画信号処理ステップと、周囲の環境を検出するための環境検出ステップと、映像再生時に、前記環境検出ステップによって検出された使用者の視環境に応じて表示する映像信号のホワイトバランス補正を行うホワイトバランス補正ステップとを備えることを特徴とする。
【発明の効果】
【００１９】
本発明の撮像装置は、使用者が映像を確認するための表示手段と、映像信号に対して信号処理をするカメラ画信号処理手段と、表示手段の出力信号に対して信号処理をする表示画信号処理手段とを備える。そして、撮影時にカメラ画のホワイトバランス情報を用いて表示画のホワイトバランス補正を行うよう表示画信号処理手段を制御する制御手段を備える。
【００２０】
このように、撮影時にカメラ画のホワイトバランス情報を用いて表示画のホワイトバランス補正を行うことで、撮影時の照明環境によって生じるカメラ画のホワイトバランスと表示画のホワイトバランスの差を軽減することができる。そして、使用者が撮影している映像のホワイトバランス状態を正確に把握することができる。
【発明を実施するための最良の形態】
【００２１】
以下、本発明の実施の形態を図面を参照しながら詳細に説明する。
【００２２】
図１は、本発明の第１の実施の形態に係る撮像装置のブロック構成図である。
【００２３】
本発明の撮像装置は、映像再生装置としての機能も有する（第２の実施の形態以降も同様）。
【００２４】
以下、その構成を動作と併せて説明する。
【００２５】
図１において、レンズ１０１の後方には絞り１０２が配置されている。レンズ１０１、絞り１０２を介した光は、イメージセンサ１０５の結像面上に被写体像として結像される。イメージセンサ１０５において、結像された被写体像は光信号から映像信号に変換される。
【００２６】
イメージセンサ１０５により得られた映像信号は、カメラ画信号処理部１１２に送られる。映像信号は、カメラ画信号処理部１１２において所定の処理を施され、ディスプレイ１１６に出力されるか、或いは、磁気テープ１１５、或いはＤＶＤディスク１１７、或いはメモリカード１１８に記録される。
【００２７】
カメラマイコン（制御手段）１１１は、イメージセンサ制御部１０６を通じて、イメージセンサ１０５の蓄積、読み出しなどの制御を行う。また、レンズ制御部１０３を通じて、レンズ１０１のフォーカス、ズームなどの制御を行う。
【００２８】
また、カメラマイコン１１１は、イメージセンサ１０５から得られる画像データから求められる被写体の輝度情報を用いて、絞り制御部１０４を通じて、絞り１０２の制御を行い、合わせてシャッタースピードの制御を行うことで、露出制御を行う。
【００２９】
また、カメラマイコン１１１は、レンズ制御部１０３を通じてレンズ１０１を駆動するか、或いは、カメラ画信号処理部１１２を制御することで、使用者の撮影時の手ぶれを補正する。
【００３０】
使用者によって、ホワイトバランス（ＷＢ）モード入力手段１０７からホワイトバランスモードが設定される。設定されたホワイトバランスモードの情報は、カメラマイコン１１１に送られ、カメラマイコン１１１は、カメラ画信号処理部１１２を通じて、映像を撮影するためのホワイトバランス制御を行い、映像のホワイトバランスが適正になるように処理する。
【００３１】
更に、カメラマイコン１１１は、カメラ画信号処理部１１２において処理された、カメラ映像のホワイトバランス補正情報を表示画信号処理部１０８に送る。
【００３２】
表示画信号処理部１０８は、送られたカメラ映像のホワイトバランス補正情報を用いて、液晶パネル１０９或いは電子式ビューファインダ１１０のホワイトバランス制御を行い、表示映像のホワイトバランスが適正になるように処理する。表示映像のホワイトバランス補正処理については、後で詳しく述べる。
【００３３】
表示映像信号は、表示画信号処理部１０８において、ホワイトバランス補正処理を含む所定の処理を施され、液晶パネル１０９或いは電子式ビューファインダ１１０に出力される。
【００３４】
図２は、本発明の第１の実施の形態に係る撮像装置の外観斜視図である。
【００３５】
図２において、撮像装置本体１２０内部には、ＤＶＤディスク、磁気テープ及びメモリカードなどの記録媒体が収納され、映像信号及び静止画像を記録再生できるようになっている。
【００３６】
上部には、レンズ部１２１、マイク１２２がある。マイク１２２は、撮影時の音声を記録するために備えられている。電子式ビューファインダ１１０は、覗き込むことによりカメラ撮影時に被写体を狙ったり確認したりするために備えられている。
【００３７】
動画用トリガースイッチ１２４は、プッシュボタンであり、動画撮影開始及び終了を機器に伝達するために使用者が操作するスイッチである。静止画用トリガースイッチ１２５は、プッシュボタンであり、静止画撮影開始及び終了を機器に伝達するために使用者が操作するスイッチである。
【００３８】
閃光装置１３１は、静止画を撮影する際の補助手段として必要に応じて発光する。モードダイヤル１２６は回転式のスイッチからなる。モードダイヤル１２６では、例えば、再生モードに設定する“再生”、カメラモードに設定する“カメラ”及びそのいずれでもない“ＯＦＦ”のいずれかを選択できる。
【００３９】
操作スイッチ群１２７は、使用者が本体を操作するため、ホワイトバランスモードを入力するためのキーや、その他のメニュー操作や再生系の操作などのためのキーが配置されている。
【００４０】
本体１２０の側面に開閉自在となるように取り付けられた液晶パネル１０９は、ビューファインダ１１０と同様に、カメラ撮影時には被写体像の確認、再生時には再生画像の表示に主に使用される。液晶パネル１０９は、本体１２０から開いている状態で、更に水平方向にも回転可能になっている。
【００４１】
スピーカ１２９は、映像を再生するときに音声を出力するために設けられている。バッテリ１３０は本体１２０と着脱可能になっている。
【００４２】
次に、本実施の形態の撮像装置における表示画信号処理部１０８による、表示画のホワイトバランス補正処理について、図３のフローチャートを参照しながら説明する。
【００４３】
図３は、図１の撮像装置によって実行される表示画のホワイトバランス補正処理の手順を示すフローチャートである。
【００４４】
本処理は、カメラマイコン１１１によって実行される。
【００４５】
図３において、電源が投入されると、カメラマイコン１１１は、録画モードか再生モードかの判別を行う（ステップＳ１０１）。再生モードの場合、液晶パネル１０９のホワイトバランス補正処理は行わず、撮影或いは再生が継続されているかどうかの判定を行う（ステップＳ１０４）。
【００４６】
録画モードである場合、表示画信号処理部１０８は、カメラマイコン１１１から、カメラ画信号処理部１１２において処理された、カメラ映像のホワイトバランス補正情報を取得する（ステップＳ１０２）。
【００４７】
表示画信号処理部１０８は、取得したカメラ映像のホワイトバランス補正情報を用いて、液晶パネル１０９のホワイトバランス補正処理を行う（ステップＳ１０３）。
【００４８】
具体的には、周囲の照明環境に順応している使用者の眼で見たときに、表示映像のホワイトバランスが適正となるように、カメラ映像のホワイトバランスゲインの逆数となるホワイトバランスゲインにより、液晶パネル１０９のホワイトバランスを補正する。表示画のホワイトバランス補正は、カメラ画のホワイトバランスの逆補正である。
【００４９】
このホワイトバランス補正は、視覚の色順応効果によって打ち消されるため、使用者は、適正なホワイトバランスで撮影映像を観賞することができる。ここで、使用者がビューファインダ１１０を覗き込む場合には、周囲の照明環境の影響を受けない。
【００５０】
そのため、ビューファインダ１１０のホワイトバランス補正は、液晶パネル１０９のホワイトバランス補正とは異なり、カメラ映像のホワイトバランス情報とは無関係に、予め決められた設定で行う。
【００５１】
また、ストロボ撮影の場合は、カメラマイコン１１１から取得する、カメラ映像のホワイトバランス補正情報は、ストロボ発光時ではなく、ストロボ発光前のプレビュー画におけるホワイトバランス情報である。
【００５２】
ここでは、液晶パネル１０９のホワイトバランス補正を、カメラ映像のホワイトバランスゲインの逆数となるホワイトバランスゲインにより求めるように説明した。しかし、予め決められた複数の色温度設定の中から、カメラ映像のホワイトバランス補正情報に応じて、最適なものを自動的に選択することで代用することも可能である。
【００５３】
以上の処理を行った後、撮影或いは再生が継続されているかどうかの判定を行い（ステップＳ１０４）、電源が切断されて制御が終了するまで、録画モード・再生モード判別（ステップＳ１０１）からの処理を繰り返す。電源が切断されると、本処理を終了する。
【００５４】
以上述べたように、本実施の形態では、映像信号に対して信号処理をするカメラ画信号処理部１１２、表示手段（液晶パネル１０９、ビューファインダ１１０）の出力信号に対して信号処理をする表示画信号処理部１０８を備える。
【００５５】
そして、撮影時にカメラ画のホワイトバランス情報を用いて表示画のホワイトバランス補正を行うことで、撮影時の照明環境によって生じるカメラ画とパネル画のホワイトバランスの差を軽減することができる。また、使用者が撮影している映像のホワイトバランス状態を正確に把握できるようになる。
【００５６】
また、表示手段として、液晶パネル１０９及びビューファインダ１１０を備え、撮影時にカメラ画のホワイトバランス情報を用いて、液晶パネル１０９に表示する映像のホワイトバランス補正を行う。ビューファインダに表示する映像のホワイトバランス補正は、カメラ画のホワイトバランス情報とは無関係に、予め決められた設定で行う。
【００５７】
このことで、使用者が映像確認用に液晶パネル１０９を使用する場合と、ビューファインダ１１０を使用する場合のいずれの場合においても、撮影している映像のホワイトバランス状態を正確に把握できるようになる。
【００５８】
また、ストロボ撮影時には、ストロボ発光前のプレビュー画におけるホワイトバランス補正を用いて、液晶パネル１０９のホワイトバランスを補正することで、ストロボ撮影によって得られた画像のホワイトバランス状態を正確に把握できるようになる。
【００５９】
図４は、本発明の第２の実施の形態に係る撮像装置のブロック構成図である。
【００６０】
以下、その構成を動作と併せて説明する。
【００６１】
図４において、レンズ２０１の後方には絞り２０２が配置されている。レンズ２０１、絞り２０２を介した光は、イメージセンサ２０５の結像面上に被写体像として結像される。イメージセンサ２０５において、結像された被写体像は光信号から映像信号に変換される。
【００６２】
イメージセンサ２０５により得られた映像信号は、カメラ画信号処理部２１２に送られる。映像信号は、カメラ画信号処理部２１２において所定の処理を施され、ディスプレイ２１６に出力されるか、或いは、磁気テープ２１５、或いはＤＶＤディスク２１７、或いはメモリカード２１８に記録される。
【００６３】
カメラマイコン２１１は、イメージセンサ制御部２０６を通じて、イメージセンサ２０５の蓄積、読み出しなどの制御を行う。また、レンズ制御部２０３を通じて、レンズ２０１のフォーカス、ズームなどの制御を行う。
【００６４】
また、カメラマイコン２１１は、イメージセンサ２０５から得られる画像データから求められる被写体の輝度情報を用いて、絞り制御部２０４を通じて、絞り２０２の制御を行い、合わせてシャッタースピードの制御を行うことで、露出制御を行う。
【００６５】
また、カメラマイコン２１１は、レンズ制御部２０３を通じてレンズ２０１を駆動するか、或いは、カメラ画信号処理部２１２を制御することで、使用者の撮影時の手ぶれを補正する。
【００６６】
使用者によって、ホワイトバランス（ＷＢ）モード入力手段２０７からホワイトバランスモードが設定される。設定されたホワイトバランスモードの情報は、カメラマイコン２１１に送られ、カメラマイコン２１１は、カメラ画信号処理部２１２を通じて、映像を撮影するためのホワイトバランス制御を行い、映像のホワイトバランスが適正になるように処理する。
【００６７】
更に、カメラマイコン２１１は、カメラ画信号処理部２１２において処理された、カメラ映像のホワイトバランス補正情報を表示画信号処理部２０８に送る。
【００６８】
表示画ホワイトバランス切替え手段２１４は、表示映像のホワイトバランス補正処理を、カメラ映像のホワイトバランス補正情報を用いて行うか、用いずに行うかを使用者が切替え選択できるようになっている。
【００６９】
表示画信号処理部２０８は、送られたカメラ映像のホワイトバランス補正情報を用いて、液晶パネル２０９或いは電子式ビューファインダ２１０のホワイトバランス制御を行い、表示映像のホワイトバランスが適正になるように処理する。表示映像のホワイトバランス補正処理については、後で詳しく述べる。
【００７０】
表示映像信号は、表示画信号処理部２０８において、ホワイトバランス補正処理を含む所定の処理を施され、液晶パネル２０９或いは電子式ビューファインダ２１０に出力される。
【００７１】
次に、本実施の形態の撮像装置における表示画信号処理部２０８による、表示画のホワイトバランス補正処理について、図５のフローチャートを参照しながら説明する。
【００７２】
図５は、図４の撮像装置によって実行される表示画のホワイトバランス補正処理の手順を示すフローチャートである。
【００７３】
本処理は、カメラマイコン２１１によって実行される。
【００７４】
図５において、電源が投入されると、カメラマイコン２１１は、録画モードか再生モードかの判別を行う（ステップＳ２０１）。再生モードの場合、液晶パネル２０９のホワイトバランス補正処理は行わず、撮影或いは再生が継続されているかどうかの判定を行う（ステップＳ２０５）。
【００７５】
録画モードである場合、表示画信号処理部２０８は、カメラマイコン２１１から、カメラ画信号処理部２１２において処理された、カメラ映像のホワイトバランス補正情報を取得する（ステップＳ２０２）。
【００７６】
次に、表示画ホワイトバランス切替え手段２１４の選択状態を判別し（ステップＳ２０３）、カメラ映像のホワイトバランス補正情報を用いて表示映像のホワイトバランス補正処理を行うかどうかを判断する。
【００７７】
カメラ映像のホワイトバランス補正情報を用いない場合には、液晶パネル１０９のホワイトバランス補正処理は行わず、撮影或いは再生が継続されているかどうかの判定を行う（ステップＳ２０５）。
【００７８】
カメラ映像のホワイトバランス補正情報を用いて表示映像のホワイトバランス補正処理を行う場合には、ステップＳ２０４に移行する。そして、表示画信号処理部２０８は、取得したカメラ映像のホワイトバランス補正情報を用いて、液晶パネル２０９のホワイトバランス補正処理を行う。
【００７９】
具体的には、周囲の照明環境に順応している使用者の眼で見たときに、表示映像のホワイトバランスが適正となるように、カメラ映像のホワイトバランスゲインの逆数となるホワイトバランスゲインにより、液晶パネル２０９のホワイトバランスを補正する。
【００８０】
このホワイトバランス補正は、視覚の色順応効果によって打ち消されるため、使用者は、適正なホワイトバランスで撮影映像を観賞することができる。ここで、使用者がビューファインダ２１０を覗き込む場合には、周囲の照明環境の影響を受けない。
【００８１】
そのため、ビューファインダ２１０のホワイトバランス補正は、液晶パネル２０９のホワイトバランス補正とは異なり、カメラ映像のホワイトバランス情報とは無関係に、予め決められた設定で行う。
【００８２】
また、ストロボ撮影の場合は、カメラマイコン２１１から取得する、カメラ映像のホワイトバランス補正情報は、ストロボ発光時ではなく、ストロボ発光前のプレビュー画におけるホワイトバランス情報である。
【００８３】
ここでは、液晶パネル２０９のホワイトバランス補正を、カメラ映像のホワイトバランスゲインの逆数となるホワイトバランスゲインにより求めるように説明した。しかし、予め決められた複数の色温度設定の中から、カメラ映像のホワイトバランス補正情報に応じて、最適なものを自動的に選択することで代用することも可能である。
【００８４】
以上の処理を行った後、撮影或いは再生が継続されているかどうかの判定を行い（ステップＳ２０５）、電源が切断されて制御が終了するまで、録画モード・再生モード判別（ステップＳ２０１）からの処理を繰り返す。電源が切断されると、本処理を終了する。
【００８５】
以上述べたように、本実施の形態では、表示画ホワイトバランス切替え手段２１４を備え、撮影時に、カメラ画のホワイトバランス情報を用いて表示画のホワイトバランス補正を行うかどうかを使用者が切替えられるようにする。このことで、撮影時の表示映像のホワイトバランスを、より使用者の望む状態に設定できるようになる。
【００８６】
図６は、本発明の第３の実施の形態に係る撮像装置のブロック構成図である。
【００８７】
以下、その構成を動作と併せて説明する。
【００８８】
図６において、レンズ３０１の後方には絞り３０２が配置されている。レンズ３０１、絞り３０２を介した光は、イメージセンサ３０５の結像面上に被写体像として結像される。イメージセンサ３０５において、結像された被写体像は光信号から映像信号に変換される。
【００８９】
イメージセンサ３０５により得られた映像信号は、カメラ画信号処理部３１２に送られる。映像信号は、カメラ画信号処理部３１２において所定の処理を施され、ディスプレイ３１６に出力されるか、或いは、磁気テープ３１５、或いはＤＶＤディスク３１７、或いはメモリカード３１８に記録される。
【００９０】
カメラマイコン（制御手段）３１１は、イメージセンサ制御部３０６を通じて、イメージセンサ３０５の蓄積、読み出しなどの制御を行う。また、レンズ制御部３０３を通じて、レンズ３０１のフォーカス、ズームなどの制御を行う。
【００９１】
また、カメラマイコン３１１は、イメージセンサ３０５から得られる画像データから求められる被写体の輝度情報を用いて、絞り制御部３０４を通じて、絞り３０２の制御を行い、合わせてシャッタースピードの制御を行うことで、露出制御を行う。
【００９２】
また、カメラマイコン３１１は、レンズ制御部３０３を通じてレンズ３０１を駆動するか、或いは、カメラ画信号処理部３１２を制御することで、使用者の撮影時の手ぶれを補正する。
【００９３】
使用者によって、ホワイトバランス（ＷＢ）モード入力手段３０７からホワイトバランスモードが設定される。設定されたホワイトバランスモードの情報は、カメラマイコン３１１に送られ、カメラマイコン３１１は、カメラ画信号処理部３１２を通じて、映像を撮影するためのホワイトバランス制御を行い、映像のホワイトバランスが適正になるように処理する。
【００９４】
更に、カメラマイコン３１１は、カメラ画信号処理部３１２において処理された、カメラ映像のホワイトバランス補正情報を表示画信号処理部３０８に送る。
【００９５】
表示画信号処理部３０８は、送られたカメラ映像のホワイトバランス補正情報を用いて、液晶パネル３０９或いは電子式ビューファインダ３１０のホワイトバランス制御を行い、表示映像のホワイトバランスが適正になるように処理する。
【００９６】
表示映像信号は、表示画信号処理部３０８において、ホワイトバランス補正処理を含む所定の処理を施され、液晶パネル３０９或いは電子式ビューファインダ３１０に出力される。
【００９７】
色温度センサ３１９は、撮影時及び映像再生時の周囲の環境の色温度情報を検出することができるものである。
【００９８】
ここでは、撮影時の表示映像のホワイトバランス補正処理を、カメラ映像のホワイトバランス補正情報を用いて行うように説明したが、カメラ映像のホワイトバランス補正情報の代わりに、色温度センサ３１９からの色温度情報を用いても構わない。表示画のホワイトバランス補正に際し、予め決められた複数の色温度設定の中から特定のものを選択する。
【００９９】
映像再生時には、磁気テープ３１５、或いはＤＶＤディスク３１７、或いはメモリカード３１８に記録されている映像データや画像データは、再生画信号処理部３１４において所定の処理を施され、表示画信号処理部３０８に送られる。
【０１００】
表示映像信号は、表示画信号処理部３０８において、ホワイトバランス補正処理を含む所定の処理を施され、液晶パネル３０９或いは電子式ビューファインダ３１０に出力される。映像再生時の表示映像のホワイトバランス補正処理は、色温度センサ３１９からの色温度情報を用いて行われる。
【０１０１】
撮影時及び映像再生時における、表示映像のホワイトバランス補正処理については、後で詳しく述べる。
【０１０２】
図７は、本発明の第３の実施の形態に係る撮像装置の外観斜視図である。
【０１０３】
図７において、撮像装置本体３２０内部には、ＤＶＤディスク、磁気テープ及びメモリカードなどの記録媒体が収納され、映像信号及び静止画像を記録再生できるようになっている。
【０１０４】
撮像装置本体３２０の上部には、レンズ部３２１とマイク３２２がある。マイク３２２は、撮影時の音声を記録するために備えられているビューファインダ３１０は、覗き込むことによりカメラ撮影時に被写体を確認したり、再生時に再生画像を観賞するために備えられている。
【０１０５】
動画用トリガースイッチ３２４は、プッシュボタンであり、動画撮影開始及び終了を機器に伝達するために使用者が操作するスイッチである。静止画用トリガースイッチ３２５は、プッシュボタンであり、静止画撮影開始及び終了を機器に伝達するために使用者が操作するスイッチである。
【０１０６】
閃光装置３３１は、静止画を撮影する際の補助手段として必要に応じて発光する。モードダイヤル３２６は回転式のスイッチからなる。モードダイヤル３２６では、例えば、再生モードに設定する“再生”、カメラモードに設定する“カメラ”及びそのいずれでもない“ＯＦＦ”のいずれかを選択できる。
【０１０７】
操作スイッチ群３２７は、使用者が撮像装置本体３２０を操作するため、ホワイトバランスモードを入力するためのキーや、その他のメニュー操作や再生系の操作などのためのキーが配置されている。
【０１０８】
撮像装置本体３２０の側面に開閉自在となるように取り付けられた液晶パネル３０９は、ビューファインダ３１０と同様に、カメラ撮影時には被写体像の確認、再生時には再生画像の表示に主に使用される。液晶パネル３０９は、撮像装置本体３２０から開いている状態で、更に水平方向にも回転可能になっている。
【０１０９】
色温度センサ３１９は、撮影時及び再生時の周囲の環境の色温度情報を検出することができるものである。スピーカ３２９は、映像を再生するときに音声を出力するために設けられている。バッテリ３３０は撮像装置本体３２０と着脱可能になっている。
【０１１０】
次に、本実施の形態の撮像装置における表示画信号処理部３０８による、表示画のホワイトバランス補正処理について、図８のフローチャートを参照しながら説明する。
【０１１１】
図８は、図６の撮像装置によって実行される表示画のホワイトバランス補正処理の手順を示すフローチャートである。
【０１１２】
本処理は、カメラマイコン３１１によって実行される。
【０１１３】
図８において、電源が投入されると、カメラマイコン３１１は、録画モードか再生モードかの判別を行う（ステップＳ３０１）。再生モードの場合、色温度センサ３１９からの色温度情報があるかどうかの判別を行う（ステップＳ３０２）。
【０１１４】
色温度情報がない場合は、液晶パネルのホワイトバランス補正処理は行わず、撮影或いは再生が継続されているかどうかの判定を行う（ステップＳ３０６）。色温度情報がある場合、表示画信号処理部３０８は、取得した色温度情報を用いて、液晶パネル３０９のホワイトバランス補正処理を行う（ステップＳ３０３）。
【０１１５】
具体的には、周囲の照明環境に順応している使用者の眼で見たときに、表示映像のホワイトバランスが適正となるように、色温度センサ３１９から得られた色温度と、液晶パネルの色温度を一致させるように、液晶パネル３０９のホワイトバランスを補正する。
【０１１６】
このホワイトバランス補正は、視覚の色順応効果によって打ち消されるため、使用者は、適正なホワイトバランスで撮影映像を観賞することができる。ここで、使用者がビューファインダ３１０を覗き込む場合には、周囲の照明環境の影響を受けない。
【０１１７】
そのため、ビューファインダ３１０のホワイトバランス補正は、液晶パネル３０９のホワイトバランス補正とは異なり、カメラ映像のホワイトバランス情報とは無関係に、予め決められた設定で行う。
【０１１８】
一方、ステップＳ３０１において録画モードである場合、表示画信号処理部３０８は、カメラマイコン３１１から、カメラ画信号処理部３１２において処理された、カメラ映像のホワイトバランス補正情報を取得する（ステップＳ３０４）。
【０１１９】
ここで、色温度センサ３１９からの色温度情報がある場合には、カメラ映像のホワイトバランス補正情報の代わりに、色温度センサ３１９からの色温度情報を用いることも可能である。
【０１２０】
表示画信号処理部３０８は、取得したカメラ映像のホワイトバランス補正情報或いは、温度センサ３１９からの色温度情報を用いて、液晶パネル３０９のホワイトバランス補正処理を行う（ステップＳ３０５）。
【０１２１】
具体的には、周囲の照明環境に順応している使用者の眼で見たときに、表示映像のホワイトバランスが適正となるように、カメラ映像のホワイトバランスゲインの逆数となるホワイトバランスゲインにより、液晶パネル３０９のホワイトバランスを補正する。
【０１２２】
或いは、色温度センサ３１９から得られた色温度と、液晶パネル３０９の色温度を一致させるように、液晶パネル３０９のホワイトバランスを補正する。このホワイトバランス補正は、視覚の色順応効果によって打ち消されるため、使用者は、適正なホワイトバランスで撮影映像を観賞することができる。
【０１２３】
ここで、使用者がビューファインダ３１０を覗き込む場合には、周囲の照明環境の影響を受けないので、ビューファインダ３１０のホワイトバランス補正は、液晶パネル３０９のホワイトバランス補正とは異なる。
【０１２４】
そのため、カメラ映像のホワイトバランス情報、或いは色温度センサ３１９からの色温度情報とは無関係に、予め決められたホワイトバランス補正を行う。また、ストロボ撮影の場合は、カメラマイコン３１１から取得するカメラ映像のホワイトバランス補正情報は、ストロボ発光時ではなく、ストロボ発光前のプレビュー画におけるホワイトバランス情報である。
【０１２５】
また、ここでは、液晶パネル３０９のホワイトバランス補正を、カメラ映像のホワイトバランスゲインの逆数となるホワイトバランスゲインにより求めるように説明した。しかし、予め決められた複数の色温度設定の中から、カメラ映像のホワイトバランス補正情報に応じて、最適なものを自動的に選択することで代用することも可能である。
【０１２６】
以上の処理を行った後、撮影或いは再生が継続されているかどうかの判定を行い（ステップＳ３０６）、電源が切断されて制御が終了するまで、録画モード・再生モード判別（ステップＳ３０１）からの処理を繰り返す。電源が切断されると、本処理終了する。
【０１２７】
本実施の形態では、表示する映像信号に対して信号処理をする表示画信号処理部３０８、周囲の環境を検出するための環境検出手段（色温度センサ３１９）を備え、映像再生時に、使用者の視環境に応じて、表示する映像信号のホワイトバランス補正を行う。このことで、再生時の視環境によらず、正しいホワイトバランスで再生映像を観賞することができるようになる。
【図面の簡単な説明】
【０１２８】
【図１】本発明の第１の実施の形態に係る撮像装置のブロック構成図である。
【図２】本発明の第１の実施の形態に係る撮像装置の外観斜視図である。
【図３】図１の撮像装置によって実行される表示画のホワイトバランス補正処理の手順を示すフローチャートである。
【図４】本発明の第２の実施の形態に係る撮像装置のブロック構成図である。
【図５】図４の撮像装置によって実行される表示画のホワイトバランス補正処理の手順を示すフローチャートである。
【図６】本発明の第３の実施の形態に係る撮像装置のブロック構成図である。
【図７】本発明の第３の実施の形態に係る撮像装置の外観斜視図である。
【図８】図６の撮像装置によって実行される表示画のホワイトバランス補正処理の手順を示すフローチャートである。
【符号の説明】
【０１２９】
１０１  レンズ
１０２  絞り
１０３  レンズ制御部
１０４  絞り制御部
１０５  イメージセンサ
１０６  イメージセンサ制御部
１０７  ホワイトバランスモード入力手段
１０８  表示画信号処理部
１０９  液晶パネル
１１０  電子式ビューファインダ
１１１  カメラマイコン（制御手段）
１１２  カメラ画信号処理部
１１５  磁気テープ
１１６  ディスプレイ
１１７  ＤＶＤディスク
１１８  メモリカード
１２０  撮像装置本体
１２１  レンズ部
１２２  マイク
１２４  動画用トリガースイッチ
１２５  静止画用トリガースイッチ
１２６  モードダイヤル
１２７  操作スイッチ群
１２９  スピーカ
１３０  バッテリ
１３１  閃光装置
【図１】
2008211333.tif 000003
【図２】
2008211333.tif 000004
【図３】
2008211333.tif 000005
【図４】
2008211333.tif 000006
【図５】
2008211333.tif 000007
【図６】
2008211333.tif 000008
【図７】
2008211333.tif 000009
【図８】
2008211333.tif 000010